(57)【要約】  ワイヤレス通信方法は、第１の通信ノードが、第１のタイプのランダムアクセスプリアンブルを送信するステップと、第１の通信ノードが、リンク回復確認情報を監視するステップと、第１の通信ノードが、第１のタイプの条件を満たした後に動作を実行するステップとを含み、第１のタイプの条件は、リンク回復確認情報を検出することを含み、上記動作は、第１のタイプのランダムアクセスプリアンブルによって決定された空間フィルタを使用して、アウトバウンドチャネルに沿った第２の通信ノードへの送信を実行するステップを含む。
2021533662.tif 000002
【特許請求の範囲】
【請求項１】
ワイヤレス通信方法であって、
第１の通信ノードが、第１のタイプのランダムアクセスプリアンブルを送信するステップと、
前記第１の通信ノードが、リンク回復確認情報を監視するステップと、
前記第１の通信ノードが、第１のタイプの条件を満たした後に動作を実行するステップとを備え、前記第１のタイプの条件は、前記リンク回復確認情報を検出することを備え、前記動作は、
前記第１のタイプのランダムアクセスプリアンブルによって決定された空間フィルタを使用して、アウトバウンドチャネルに沿った第２の通信ノードへの送信を実行するステップを含む、方法。
【請求項２】
ワイヤレス通信方法であって、
第１の通信ノードが、第１のタイプのランダムアクセスプリアンブルを送信するステップと、
前記第１の通信ノードが、リンク回復確認情報を監視するステップと、
前記第１の通信ノードが、第１のタイプの条件を満たした後に動作を実行するステップとを備え、前記第１のタイプの条件は、前記リンク回復確認情報を検出することを備え、前記動作は、
アウトバウンドチャネルに沿って送信される第２のタイプの信号によって決定された空間フィルタを使用して、前記アウトバウンドチャネルに沿った第２の通信ノードへの送信を実行するステップを含む、方法。
【請求項３】
ワイヤレス通信方法であって、
第１の通信ノードが、第１のタイプのランダムアクセスプリアンブルを送信するステップと、
前記第１の通信ノードが、リンク回復確認情報を監視するステップと、
前記第１の通信ノードが、第１のタイプの条件を満たした後に動作を実行するステップとを備え、前記第１のタイプの条件は、前記リンク回復確認情報を検出することを備え、前記動作は、
アウトバウンドチャネルに沿った第２の通信ノードへの送信を実行するステップを含み、前記アウトバウンドチャネルに沿った前記送信のための構成情報は未提供である、方法。
【請求項４】
前記空間フィルタは、第１のタイプのランダムアクセスプリアンブル送信のためのものと同一である、請求項１に記載の方法。
【請求項５】
前記構成情報は、空間関係情報を備える、請求項３に記載の方法。
【請求項６】
前記リンク回復確認情報は、第１のタイプの無線ネットワーク仮識別子によってスクランブルされた巡回冗長検査（ＣＲＣ）を有する下りリンク制御インジケータである、請求項１から請求項３のいずれか１項に記載の方法。
【請求項７】
前記アウトバウンドチャネルは、物理上りリンク制御チャネルを備える、請求項１から請求項６のいずれか１項に記載の方法。
【請求項８】
前記アウトバウンドチャネルは、物理上りリンク共有チャネルを備える、請求項１から請求項６のいずれか１項に記載の方法。
【請求項９】
前記第２のタイプの信号は、以下のもの、すなわち、Ｍｓｇ３  ＰＵＳＣＨ、前記リンク回復確認情報によってスケジューリングされるＰＵＳＣＨ、または前記リンク回復確認情報によってスケジューリングされるＰＵＣＣＨ、のうちの少なくともを備える、請求項２に記載の方法。
【請求項１０】
前記アウトバウンドチャネルは、リンク回復条件が満たされるセル内またはキャリア上にある、請求項１から請求項３のいずれか１項に記載の方法。
【請求項１１】
前記アウトバウンドチャネルは、前記第１のタイプの条件を満たすと専用の送信リソースを有する専用の物理上りリンク制御チャネルである、請求項１から請求項３のいずれか１項に記載の方法。
【請求項１２】
前記アウトバウンドチャネルは、物理上りリンク制御チャネルのための専用のリソースが未構成または未提供である場合には、デフォルト物理上りリンク制御チャネルである、請求項１から請求項３のいずれか１項に記載の方法。
【請求項１３】
前記アウトバウンドチャネルは、コモン物理上りリンク制御チャネルリソースである、請求項１から請求項３のいずれか１項に記載の方法。
【請求項１４】
前記コモン物理上りリンク制御チャネルリソースは、システムブロードキャストメッセージにおけるコモン物理上りリンク制御チャネルリソースフィールドによって提供される、請求項１３に記載の方法。
【請求項１５】
前記第１のタイプの条件は、
前記送信のキャリアが、リンク回復条件が満たされるキャリアと同一であること、または、前記送信のキャリアが、前記リンク回復条件が満たされるキャリアグループ内にあることを含む、請求項１から請求項３のいずれか１項に記載の方法。
【請求項１６】
前記第１のタイプの条件は、
前記送信のセルが、リンク回復条件が満たされるセルと同一であること、または、前記送信のセルが、前記リンク回復条件が満たされるセルグループ内にあることを含む、請求項１から請求項３のいずれか１項に記載の方法。
【請求項１７】
前記リンク回復条件は、以下のこと、すなわち、
ビーム障害インスタンス表示の数が第１の閾値以上であること、
第２のプールからの第２のタイプの基準信号のチャネル品質が第２の閾値以上であること、または
第３のプールからの第３のタイプの基準信号のチャネル品質が第３の閾値未満であること、のうちの少なくとも１つを備える、請求項１０、１５または１６に記載の方法。
【請求項１８】
前記第１のタイプの条件は、
前記送信のキャリアが前記アウトバウンドチャネルのキャリアと同一であること、または、前記送信のキャリアが前記アウトバウンドチャネルとしてのキャリアグループ内にあることを含む、請求項１から請求項３のいずれか１項に記載の方法。
【請求項１９】
前記第１のタイプの条件は、
前記送信のセルが前記アウトバウンドチャネルのセルと同一であること、または、前記送信のキャリアが前記アウトバウンドチャネルのセルグループ内にあることを含む、請求項１から請求項３のいずれか１項に記載の方法。
【請求項２０】
前記方法はさらに、第１のタイプの事象の発生まで実行される、請求項１から請求項５のいずれか１項に記載の方法。
【請求項２１】
前記第１のタイプの事象は、下りリンク制御チャネルに関連付けられた送信構成インジケータ（ＴＣＩ）の再構成もしくは起動、または、前記アウトバウンドチャネルに関連付けられた空間関係の再構成もしくは起動である、請求項２０に記載の方法。
【請求項２２】
前記アウトバウンドチャネルの経路損失基準信号セット構成は、デフォルトと見なされるか、または未提供であるか、またはデフォルトで解放される、請求項１から請求項３のいずれか１項に記載の方法。
【請求項２３】
前記アウトバウンドチャネルの目標電力セットの構成は、デフォルトと見なされるか、または未提供であるか、またはデフォルトで解放される、請求項１から請求項３のいずれか１項に記載の方法。
【請求項２４】
前記アウトバウンドチャネルの前記目標電力セットの構成および重み係数αセットは、デフォルトと見なされるか、または未提供であるか、またはデフォルトで解放される、請求項１から請求項３のいずれか１項に記載の方法。
【請求項２５】
前記アウトバウンドチャネルに関連付けられた経路損失推定の基準信号は、前記第１のタイプのランダムアクセスプリアンブルに関連付けられた下りリンク基準信号である、請求項１から請求項３のいずれか１項に記載の方法。
【請求項２６】
前記アウトバウンドチャネルに関連付けられた経路損失推定の基準信号は、上位層メッセージによって提供されるインデックスｑ＿ｎｅｗを有する下りリンク基準信号である、請求項１から請求項３のいずれか１項に記載の方法。
【請求項２７】
前記アウトバウンドチャネルに関連付けられた経路損失推定の基準信号は、前記基準信号のチャネル測定メトリックが第１のタイプの閾値以上であるという結果を有する下りリンク基準信号である、請求項１から請求項３のいずれか１項に記載の方法。
【請求項２８】
前記アウトバウンドチャネルに関連付けられた経路損失推定の基準信号は、基準信号セットにおける特定のインデックスによって示される下りリンク基準信号である、請求項１から請求項３のいずれか１項に記載の方法。
【請求項２９】
前記アウトバウンドチャネルに関連付けられた目標電力は、目標電力セットにおける特定のインデックスによって示される目標電力である、請求項１から請求項３のいずれか１項に記載の方法。
【請求項３０】
前記アウトバウンドチャネルに関連付けられた目標電力は、１つのプリアンブルが受信した目標電力、または、１つのプリアンブルが受信した目標電力と１つの下りリンク制御情報における送信電力コマンド（ＴＰＣ）によって示される値との組み合わせである、請求項１から請求項３のいずれか１項に記載の方法。
【請求項３１】
前記アウトバウンドチャネルに関連付けられた目標電力は、未提供であるか、またはデフォルト値を有する、請求項１から請求項３のいずれか１項に記載の方法。
【請求項３２】
前記目標電力は、前記第１の通信ノードに専用である、請求項２３、２４、２９、３０または３１に記載の方法。
【請求項３３】
前記デフォルト値はゼロである、請求項３１に記載の方法。
【請求項３４】
前記アウトバウンドチャネルの閉ループ電力制御は、
（１）特定のインデックスを有している、または
（２）前記ランダムアクセスプリアンブルに関連付けられた増大値、もしくは、前記ランダムアクセスプリアンブルに関連付けられた増大値と１つの下りリンク制御情報における送信電力コマンド（ＴＰＣ）によって示される値との組み合わせである、または
（３）リセットされる、請求項１から請求項３のいずれか１項に記載の方法。
【請求項３５】
前記特定のインデックスは、ゼロであるか、または最低のインデックスであるか、または最高のインデックスである、請求項２８、２９または３４に記載の方法。
【請求項３６】
以下の信号、すなわち、下りリンク基準信号、上りリンク（ＵＬ）基準信号、物理上りリンク制御チャネル、物理上りリンク共有チャネル、または電力制御パラメータ、のうちの少なくとも１つに関連付けられた専用のパラメータは、未提供であるか、またはデフォルトである、請求項１から請求項３のいずれか１項に記載の方法。
【請求項３７】
周期的もしくは半連続的なアウトバウンド基準信号は未送信であり、または、周期的もしくは半連続的なインバウンド基準信号もしくはインバウンドチャネルは未監視もしくは未受信である、請求項１から請求項３のいずれか１項に記載の方法。
【請求項３８】
基準信号の前記空間関係は、前記ランダムアクセスプリアンブルに従って決定される、請求項３に記載の方法。
【請求項３９】
前記上りリンク基準信号は、以下のもの、すなわち、コードブックのためのサウンディング基準信号または非コードブックのためのサウンディング基準信号、のうちの少なくとも１つを備える、３６に記載の方法。
【請求項４０】
基準信号の擬似コロケーションは、前記ランダムアクセスプリアンブルに関連付けられた１つの下りリンク基準信号に従って決定され、前記基準信号は、非コードブックのためのチャネル状態情報基準信号である、請求項１から請求項３のいずれか１項に記載の方法。
【請求項４１】
前記第１のタイプの無線ネットワーク仮識別子は、セル無線ネットワーク仮識別子（Ｃ−ＲＮＴＩ）または仮Ｃ−ＲＮＴＩ（ＴＣ−ＲＮＴＩ）またはランダムアクセス無線ネットワーク仮識別子（ＲＡ−ＲＮＴＩ）である、請求項６に記載の方法。
【請求項４２】
ワイヤレス通信方法であって、
ネットワークノードにおいて、端末がリンク回復を試みている第１のタイプのランダムアクセスプリアンブルを受信するステップと、
リンク回復確認情報メッセージを前記端末に送信するステップとを備える、方法。
【請求項４３】
前記メッセージを送信するステップは、第１のタイプの無線ネットワーク仮識別子によってスクランブルされた巡回冗長検査（ＣＲＣ）を有する下りリンク制御インジケータを送信するステップを含む、請求項４２に記載の方法。
【請求項４４】
前記空間フィルタは、第１のタイプのランダムアクセスプリアンブル送信または前記第２のタイプの信号のためのものと同一である、請求項２に記載の方法。
【請求項４５】
請求項１から請求項４４のうちの１つまたは複数の請求項に記載の方法を実行するように構成されたプロセッサを備える装置。
【請求項４６】
コードが格納されたコンピュータプログラム製品であって、前記コードは、プロセッサによって実行されると、前記プロセッサに請求項１から請求項４４のうちの１つまたは複数の請求項に記載の方法を実行させる、コンピュータプログラム製品。
【発明の詳細な説明】
【技術分野】
【０００１】
技術分野
この特許文献は、通信の分野に関し、特にデータ信号、制御信号および基準信号の構成および送信に関する。
【背景技術】
【０００２】
背景
さらなるデプロイメントの柔軟性、多数のデバイスおよびサービスに対するサポート、ならびに効率的な帯域幅利用のためのさまざまな技術を提供する次世代のワイヤレス通信ネットワークを定義するための取り組みが現在進行中である。よりよい帯域幅利用のために、複数のアンテナの使用ならびに送信および／または受信の空間的選択性などの技術も使用されている。
【発明の概要】
【課題を解決するための手段】
【０００３】
概要
ユーザデバイスからネットワークノードへのチャネルでの効率的なリンク回復のための技術が開示されている。１つの有利な局面では、基地局は、上りリンクチャネルを効果的に受信することができ、それによって、リンク回復プロセス全体の効果を保証して、システムの柔軟性を大幅に向上させている。
【０００４】
１つの例示的な局面において、ワイヤレス通信方法が開示されている。上記方法は、第１の通信ノードが、第１のタイプのランダムアクセスプリアンブルを送信するステップと、上記第１の通信ノードが、リンク回復確認情報を監視するステップと、上記第１の通信ノードが、第１のタイプの条件を満たした後に動作を実行するステップとを含み、上記第１のタイプの条件は、上記リンク回復確認情報を検出することを含み、上記動作は、上記第１のタイプのランダムアクセスプリアンブルによって決定された空間フィルタを使用して、アウトバウンドチャネルに沿った第２の通信ノードへの送信を実行するステップを含む。
【０００５】
別の例示的な局面において、ワイヤレス通信方法が開示されている。上記方法は、第１の通信ノードが、第１のタイプのランダムアクセスプリアンブルを送信するステップと、上記第１の通信ノードが、リンク回復確認情報を監視するステップと、上記第１の通信ノードが、第１のタイプの条件を満たした後に動作を実行するステップとを含み、上記第１のタイプの条件は、上記リンク回復確認情報を検出することを含み、上記動作は、アウトバウンドチャネルに沿って送信される第２のタイプの信号によって決定された空間フィルタを使用して、上記アウトバウンドチャネルに沿った第２の通信ノードへの送信を実行するステップを含む。
【０００６】
さらに別の局面において、別のワイヤレス通信方法が開示されている。上記方法は、第１の通信ノードが、第１のタイプのランダムアクセスプリアンブルを送信するステップと、上記第１の通信ノードが、リンク回復確認情報を監視するステップと、上記第１の通信ノードが、第１のタイプの条件を満たした後に動作を実行するステップとを含み、上記第１のタイプの条件は、上記リンク回復確認情報を検出することを含み、上記動作は、アウトバウンドチャネルに沿った第２の通信ノードへの送信を実行するステップを含み、上記アウトバウンドチャネルに沿った上記送信のための構成情報は未提供である。
【０００７】
さらに別の例示的な局面において、別のワイヤレス通信方法が開示されている。上記方法は、端末がリンク回復を試みているとの表示を受信するステップと、上記表示に応答して、上記リンク回復を容易にするためのリンク回復確認情報メッセージを上記端末に送信するステップとを含む。
【０００８】
さらに別の例示的な局面において、ワイヤレス通信装置が開示されている。上記装置は、上記の方法を実行するように構成されたプロセッサを含む。
【０００９】
さらに別の例示的な局面において、コンピュータプログラム記憶媒体が開示されている。上記コンピュータプログラム記憶媒体は、格納されたコードを含む。上記コードは、プロセッサによって実行されると、上記プロセッサに記載されている方法を実行させる。
【００１０】
これらのおよび他の局面は、本文献に記載されている。
図面は、本文献をさらに理解してもらうよう意図されており、本文献の一部であるよう意図されている。
【図面の簡単な説明】
【００１１】
【図１】本文献に係るリンク回復プロセスの一例の概略図である。
【図２】本文献に係る別の例示的なリンク回復プロセスの概略図である。
【図３】本文献に係る物理上りリンク制御チャネル（ＰＵＣＣＨ）空間関係を決定する実施形態の図である。
【図４】本文献に係るＰＵＣＣＨ空間関係を決定する別の実施形態の図である。
【図５】本文献に係る物理上りリンク共有チャネル（ＰＵＳＣＨ）送信モードを決定する実施形態の図である。
【図６】本文献に係る上りリンク基準信号送信の概略図である。
【図７】ワイヤレス通信方法の一例のためのフローチャートである。
【図８】ワイヤレス通信方法の一例のためのフローチャートである。
【図９】ワイヤレス通信方法の一例のためのフローチャートである。
【図１０】ワイヤレス通信装置の実現例の一例のブロック図である。
【図１１】ワイヤレス通信ネットワークの一例のブロック図である。
【発明を実施するための形態】
【００１２】
詳細な説明
ワイヤレスデータ通信の需要の高まりを満たすために使用することができる追加スペクトルを提供するために、将来的な移動体通信の開発の方向として超広帯域幅高周波数帯域（たとえば、ミリ波通信）が台頭してきており、世界中の学界および産業界の注目を集めている。特に、ますます混雑するようになっているスペクトルリソースおよび物理ネットワークに大量にアクセスする場合には、ミリ波の利点はますます魅力的になる。ＩＥＥＥおよび３ＧＰＰなどの多くの標準化団体では、対応する標準化作業が始まっている。たとえば、３ＧＰＰ標準化グループでは、高周波数通信が５Ｇ新無線アクセス技術（新ＲＡＴ）の重要な特徴であり、その主な利点は帯域幅が大きいことである。
【００１３】
基地局などのネットワークノードには、複数のアンテナパネルが存在し得て、各アンテナパネルは、複数のビームを生成し得る。ＵＥ側では、同様の状況が生じ得る。したがって、混合アナログおよびデジタル領域複数ビームスキームを提供し、これを使用して、基準信号、データチャネルおよび制御チャネルを送信または受信することが有益である。
【００１４】
既存の５Ｇ通信規格では、物理下りリンク制御チャネル（ＰＤＣＣＨ）の受信チャネル品質が閾値よりも低く、かつ、１つの閾値以上のチャネル品質を有する１つの基準信号が見つけ出されると、ＵＥは、その基準信号に関連付けられた物理ランダムアクセスチャネル（ＰＲＡＣＨ）リソースを送信することによって基準信号を表示するためのリンク回復手順を積極的に開始し得る。しかし、ＵＥは依然としてＲＲＣ  ＣＯＮＮＥＣＴモードであるので、上りリンク制御チャネルによって構成される空間関係（たとえば、上りリンクビーム情報）は依然として有効であるが、実際には、空間関係によって示されるビームを使用した物理上りリンク制御チャネル（ＰＵＣＣＨ）は基地局によって受信されない可能性があり、リンク回復の問題が依然として生じ得る。
【００１５】
本文献に記載されている技術を使用して、上記の問題などを解決することができる。５Ｇ技術を参照してさまざまな実施形態の例について説明するが、これらの技術は他のワイヤレスシステムでも実現可能である。さらに、上りリンクチャネルおよび下りリンクチャネルという語は、５Ｇの枠組みの中での理解を容易にするために使用されている。しかし、一般に、ユーザデバイスの観点から、上りリンクチャネルは、単に、ユーザデバイスが信号を送信する「チャネルから」を意味し得て、下りリンクチャネルは、単に、ユーザデバイス（ＵＥまたは端末と呼ばれることもある）が信号を受信する「チャネルへ」を意味し得る。
【００１６】
いくつかの開示されている実施形態では、ＵＥ側のリンク回復ＰＲＡＣＨに従ってＰＵＣＣＨおよび他の上りリンクチャネルの空間関係またはビーム情報を決定し、ＰＵＣＣＨおよび他の上りリンクチャネルの上りリンク電力制御パラメータおよびプロセスを決定して、リンク回復プロセスが開始された後に基地局が効果的に上りリンクチャネルを受信できることを保証し、それによって、リンク回復プロセス全体の効果を保証して、システムの潤滑性を大幅に向上させている。
【００１７】
リンク回復としても知られているビーム回復は、リンクにおける突然の劣化を解消するためのプロセスである。ビーム回復は、無競合ビーム回復と競合ベースのビーム回復とを両方含んでいる。特に、いくつかの詳細は以下の通りである。
【００１８】
・無競合リンク回復手順：高速ＵＥ起動報告プロセスが物理層によって開始され、ＵＥはまず元のＰＤＣＣＨリンク品質（ｑ＿０とも称される）を検出する。第１のタイプの閾値を下回ると、第２のタイプの閾値（ｑ＿ｎｅｗと呼ばれる）よりも高いリンクが、予め構成された潜在的なビーム／リンクセット（ｑ＿１とも称される）から見つけ出されて、ＵＥ側は、ＰＲＡＣＨを介して積極的に報告する。ＰＲＡＣＨを受信した後、基地局は、Ｃ−ＲＮＴＩ（セル無線ネットワーク仮識別子）でスクランブルされたＤＣＩ（下りリンク制御インジケータ）をリンク回復専用検索空間または制御リソースセット（ＣＯＲＥＳＥＴ）に沿って送信することによってＵＥのリンク回復要求を承認する。
【００１９】
・競合ベースのリンク回復手順：無競合リンク回復手順と同様に、ＰＲＡＣＨを介してリンク回復要求が送信されるが、ＰＲＡＣＨリソースはＵＥに特有のリソースではない。すなわち、基地局は、ＰＲＡＣＨリソースを受信した後にＵＥの特定のアイデンティティ、アイデンティティ情報を確認することができない。したがって、ＰＲＡＣＨを受信した後、基地局は、ＲＡ−ＲＮＴＩでスクランブルされたＤＣＩを送信してＰＲＡＣＨ情報の受信を確認し、次いで、Ｍｓｇ３において、ＵＥはそれ自体のＣ−ＲＮＴＩ情報を報告し、それによって、基地局にそれ自体のアイデンティティ情報を通知する。その後、ＰＤＣＣＨおよびＰＤＳＣＨは、ＲＲＣ  ＣＯＮＮＥＣＴモードで通常送信モードを介して送信され得る。
【００２０】
ビームは、リソース（たとえば、送信端における空間フィルタ、受信端における空間フィルタ、送信端におけるプリコーディング、受信端におけるプリコーディング、アンテナポート、アンテナ重みベクトル、アンテナ重み行列など）であると考えられてもよく、ビームインデックスは、リソースインデックス（たとえば、基準信号リソースインデックス）と置換されてもよい。また、ビームは、送信（送信／受信）モードに関連付けられてもよく、送信モードは、空間分割多重化、周波数領域／時間領域多様性、または別の送信技術を含んでもよい。空間フィルタは、送信の空間選択性を提供してもよい。
【００２１】
基準信号は、上りリンク基準信号と下りリンク基準信号とを含む。上りリンク基準信号は、サウンディング基準信号（ＳＲＳ）であってもよい。上りリンク基準信号は、位相トラッキング基準信号（ＰＴ−ＲＳ）であってもよい。上りリンク基準信号は、復調基準信号（ＤＭＲＳ）であってもよい。
【００２２】
いくつかの実施形態では、下りリンク基準信号は、チャネル状態情報基準信号（ＣＳＩ−ＲＳ）であってもよい。いくつかの実施形態では、下りリンク基準信号は、ＰＴ−ＲＳであってもよい。いくつかの実施形態では、下りリンク基準信号は、同期信号ブロック（ＳＳＢ）であってもよい。いくつかの実施形態では、下りリンク基準信号は、同期信号／物理ブロードキャストチャネル（ＳＳ／ＰＢＣＨ）であってもよい。いくつかの実施形態では、下りリンク基準信号は、ＤＭＲＳであってもよい。
【００２３】
いくつかの実施形態では、１回のランダムアクセス応答（ＲＡＲ）上りリンク許可またはリンク回復確認情報に使用されるＤＣＩフォーマット０＿０もしくは０＿１によってスケジューリングされる、ＵＥからの１回のＰＵＳＣＨ送信は、Ｍｓｇ３  ＰＵＳＣＨとも呼ばれる。
【００２４】
図１は、リンク回復プロセスの概略図である。図１は、無競合モードに基づくリンク回復手順を示している。基地局の事前構成を通じて、新たな候補リンクセットｑ＿１は、ＰＲＡＣＨリソースと明確な関係を有している。ｑ＿０に関連付けられたリンクが機能しなくなって、ｑ＿１から選択されたｑ＿ｎｅｗが第２のタイプの閾値以上になった後、ＵＥは、ｑ＿ｎｅｗに関連付けられたランダムアクセスプリアンブルをｇＮＢに送信する。対応する検出窓のもとで、ＵＥは、承認情報をｇＮＢから受信しようと試みる。すなわち、Ｃ−ＲＮＴＩでスクランブルされたＤＣＩフォーマットが制御リソースセット（ＣＯＲＥＳＥＴ）のリンク回復専用検索空間上で検出される。このＤＣＩまたはこのＤＣＩの後の１つのＤＣＩがＰＤＳＣＨ送信をトリガする場合、ＰＵＣＣＨは、ＰＤＳＣＨが成功裏に復調されるか否かを示すＨＡＲＱ／ＡＣＫ情報を保持している。
【００２５】
ＰＤＣＣＨのＴＣＩ状態が再構成または再起動されるまで、ＰＤＳＣＨもＰＤＣＣＨも、空間パラメータとしてのｑ＿ｎｅｗによって示される下りリンク基準チャネルに従う。
【００２６】
図２は、本文献に係るリンク回復の別の概略フローチャートであり、競合ベースのリンク回復手順を示している。基地局の事前構成を通じて、新たな候補ビームセットｑ＿１の各ビームは、各ＰＲＡＣＨリソースと明確な関係を有している。ｑ＿０に関連付けられたビームが機能しなくなって、第２のタイプの閾値以上の新たなビームｑ＿ｎｅｗが見つけ出されると、ＵＥは、ＰＲＡＣＨ情報に関連付けられたｑ＿ｎｅｗをｇＮＢに送信する。対応する検出窓のもとで、ＵＥは、Ｍｓｇ２をｇＮＢから受信しようと試みる。すなわち、ＲＡ−ＲＮＴＩでスクランブルされた１つのＤＣＩのシグナリングであって、それが時刻ｎで行われると想定する。時刻ｎ＋ｉにおいて、ＵＥは、Ｍｓｇ３を基地局にフィードバックし、Ｍｓｇ３は、Ｃ−ＲＮＴＩ情報またはリンク回復表示情報を保持しており、この情報は、現在の手順がＣ−ＲＮＴＩを有するＵＥからのリンク回復手順であることを示すために使用される。
【００２７】
ＰＤＣＣＨのＴＣＩ状態が再構成または再起動されるまで、ＰＤＳＣＨもＰＤＣＣＨも、空間パラメータとしてのｑ＿ｎｅｗによって示される下りリンク基準チャネルに従う。
【００２８】
ＤＣＩフォーマット１＿０／１＿１がＰＤＳＣＨ送信をトリガすると、ＰＵＣＣＨは、ＰＤＳＣＨ関連付けを伝えるためのＨＡＲＱ／ＮＡＣＫ情報を送信する。
【００２９】
また、ＤＣＩフォーマット０＿０／０＿１は、ＰＵＳＣＨの送信をトリガすることができる。
【００３０】
実施形態の例
基準信号を送信する方法が第１の通信ノードに適用され、この方法は、
第１のタイプの条件が満たされると、第１の通信ノードが、以下のこと、すなわち、
♯１  上りリンクチャネルが第１のタイプのＰＲＡＣＨと同一の空間フィルタを使用すること、
♯２  第１のタイプのＰＲＡＣＨに従って上りリンクチャネルの空間関係または空間フィルタを決定すること、
♯３  上りリンクチャネルの空間関係の構成情報を無視または解放すること、または
♯４  上りリンクチャネルの空間関係の構成情報がデフォルトもしくは未構成もしくは未提供であること、または、第１の通信ノード専用の上りリンクチャネルの構成情報がデフォルトもしくは未構成もしくは未提供であること、
のうちの少なくとも１つに従って上りリンクチャネルの送信モードを決定することを含む。
【００３１】
上りリンクチャネルは、第２の通信ノードに送信される。
さらに、第１のタイプの条件は、以下のこと、すなわち、
♯１  第１の通信ノードがＰＲＡＣＨを送信すること、
♯２  構成された窓および構成された検索空間において、第１のタイプのＲＮＴＩでスクランブルされたＤＣＩを検出すること、
♯３  第２の通信ノードからリンク回復確認情報またはリンク回復確認情報を受信すること、のうちの少なくとも１つを含む。
【００３２】
上りリンクチャネルは、ＰＵＣＣＨまたはＰＵＳＣＨである。
さらに、第１のタイプのＲＮＴＩは、以下のもの、すなわち、Ｃ−ＲＮＴＩ、ＴＣ−ＲＮＴＩおよびＲＡ−ＲＮＴＩ、のうちの少なくとも１つである。
【００３３】
さらに、基準信号の空間関係または空間フィルタは、ＰＲＡＣＨに従って決定される。
上りリンクチャネルまたは基準信号の空間関係または空間フィルタは、第１のタイプのＰＲＡＣＨに従って決定され、以下のこと、すなわち、
・ＰＲＡＣＨのインデックス情報に関連付けられるように上りリンクチャネルの空間関係情報を更新すること、
・上りリンクチャネルまたは基準信号の空間フィルタが、ＰＲＡＣＨと併用される空間フィルタまたはＰＲＡＣＨに関連付けられた空間フィルタと同一であること、
・上りリンクチャネルまたは基準信号の空間フィルタが、ＰＲＡＣＨと併用される空間フィルタまたはＰＲＡＣＨに関連付けられた空間フィルタと同様であること、のうちの少なくとも１つを示す。
【００３４】
さらに、ＰＲＡＣＨはリンク回復に使用される。
代替的に、構成された窓がリンク回復に使用される。
【００３５】
代替的に、構成された検索空間がリンク回復もしくはビーム回復に使用され、または、関連付けられた制御チャネルリソースセットの構成された検索空間がリンク回復もしくはビーム回復に使用される。
【００３６】
さらに、ＰＲＡＣＨのセルは一次セルであり、またはＰＲＡＣＨのキャリアは一次キャリアであり、またはＰＲＡＣＨはＭＣＧに属している。
【００３７】
さらに、上りリンクチャネルのセルは一次セルであり、または上りリンクチャネルのキャリアは一次キャリアであり、または上りリンクチャネルはＭＣＧに関連付けられる。
【００３８】
ＰＵＣＣＨリソースは、専用のＰＵＣＣＨリソースであってもよく、専用のＰＵＣＣＨリソースは、第１のタイプの条件が満たされて初めて有効になる。さらに、ＰＵＣＣＨリソースは、リンク回復プロセスにしか使用されない。
【００３９】
代替的に、ＰＵＣＣＨは、ＵＥが専用のＵＥに特有のＰＵＣＣＨ構成を受信しなかった場合にはデフォルトＰＵＣＣＨリソースであり、またはデフォルトＰＵＣＣＨリソースはデフォルトＰＵＣＣＨのために構成され、またはＰＵＣＣＨはコモンＰＵＣＣＨリソースである。
【００４０】
さらに、コモンＰＵＣＣＨリソースは、ＳＩＢ１におけるコモンＰＵＣＣＨリソースフィールドによって示される。
【００４１】
代替的に、ＰＵＣＣＨリソースは、現在のＵＥによって構成されたＰＵＣＣＨリソースでもあるが、その空間関係情報は再構成され、またはＰＲＡＣＨに関連付けられた空間フィルタはデフォルトで使用される。
【００４２】
二次セルまたは他のセルグループのことを考えたとき、ＵＥもリンク回復を実行したいと思うかもしれないが、一次セルのＰＲＡＣＨリソースがその出来事に使用され、またはＭＡＣ−ＣＥシグナリングを使用してフィードバックが実行される。場合によっては、一次セルビームは問題がなく、その結果、二次セルに対してのみリンク回復が実行されてもよい。二次セルの上りリンクチャネルを更新しなければならないだけであり、または第１の通信ノードは、二次セルのための以前に構成された空間関係情報が解放されると考える。
【００４３】
さらに、第１のタイプの条件は、以下のこと、すなわち、
（１）ＰＲＡＣＨのキャリアが、リンク回復条件を有するキャリアと同一であること、または、ＰＲＡＣＨのキャリアインデックスが、リンク回復条件が発生するキャリアグループと同一であること、
（２）ＰＲＡＣＨのセルが、リンク回復条件が発生するセルと同一であること、または、ＰＲＡＣＨのセルインデックスが、リンク回復条件が発生するセルグループと同一であること、のうちの少なくとも１つをさらに含む。
【００４４】
さらに、アウトバウンドまたは上りリンクチャネルは、以下の特徴、すなわち、
（１）ＰＲＡＣＨのキャリアが上りリンクチャネルのキャリアと同一であること、または、ＰＲＡＣＨのキャリアインデックスが上りリンクチャネルのキャリアグループと同一であること、
（２）ＰＲＡＣＨのセルが上りリンクチャネルのセルと同一であること、または、ＰＲＡＣＨのキャリアインデックスが上りリンクチャネルのセルグループと同一であること、
（３）アウトバウンドまたは上りリンクチャネルが、リンク回復条件を満たすセルまたはキャリア内に位置していること、を有する。
【００４５】
リンク回復プロセスは、リンク障害の問題を解決するための一時的なプロセスに過ぎない。したがって、第１のタイプの事象と称される、リンク回復プロセスの１つの終了時刻または条件を設計することが有用である。プロセスが終了すると、通常のＲＲＣ  ＣＯＮＮＥＣＴ状態における構成情報に従って上りリンクおよび下りリンク送信が実行される。
【００４６】
さらに、第１のタイプの事象が発生するまで、第１の通信ノードは、以下のことのうちの少なくとも１つに従って上りリンクチャネルの送信モードを決定する。以下のこととは、すなわち、♯１  上りリンクチャネルが第１のタイプのＰＲＡＣＨと同一の空間フィルタを使用すること、♯２  第１のタイプのＰＲＡＣＨに従って上りリンクチャネルの空間関係を決定すること、♯３  上りリンクチャネルの空間関係の構成情報を無視または解放すること、♯４  上りリンクチャネルの空間関係の構成情報がデフォルトまたは未構成または未提供であることである。さまざまな実施形態において、チャネルの構成情報は、デフォルトであるか、または未構成であるか、または未提供である。
【００４７】
第１のタイプの事象の一例は、ＴＣＩ状態が再構成または再起動されるときである。第１のタイプの事象の別の例は、上りリンクチャネルに関連付けられた空間関係が再構成または再起動されるというものである。
【００４８】
さらなる例としては、上りリンクチャネルがＰＵＣＣＨである場合に、上りリンクチャネルに関連付けられた空間関係が再構成または再起動される上りリンクチャネルもＰＵＣＣＨであるということが挙げられる。
【００４９】
さらなる例としては、上りリンクチャネルがＰＵＳＣＨである場合に、上りリンクチャネルに関連付けられた空間チャネルが再構成または再起動されて上りリンクチャネルがＰＵＣＣＨであってもよいということ、または、上りリンクチャネルに関連付けられた空間関係が、ＰＵＳＣＨのコードブックまたは非コードブック送信モードに使用されるＳＲＳの空間関係であるということが挙げられる。
【００５０】
図３は、本文献に係るＰＵＣＣＨ空間関係を決定する実施形態の図である。ＵＥは、ＰＲＡＣＨによってトリガされたリンク回復要求を送信して、Ｃ−ＲＮＴＩでスクランブルされたＰＤＣＣＨを受信した後、リンク回復要求が承認されたと考える。第１の通信ノード（たとえば、ＵＥ）は、ＰＵＣＣＨリソースがＰＲＡＣＨと同一の空間フィルタを使用することになると想定して、ＰＵＣＣＨリソースのために以前に構成または起動された空間関係情報は、無視または解放される。しかし、想定された終了時刻は、ＰＤＣＣＨのＴＣＩが再構成または再起動される時刻であり、その後、ＰＵＣＣＨは、再構成または再起動された空間関係情報を使用することになる。したがって、ＰＵＣＣＨの空間情報も、ＰＤＣＣＨのＴＣＩが再構成または再起動される前に、対応するＲＲＣまたはＭＡＣ−ＣＥシグナリングによって更新される。したがって、図３に示されるプロセスは、条件が発生したとＵＥが判断するステップと、この判断に基づいて、事象（たとえば、ＰＤＣＣＨ  ＴＣＩが再構成または再起動される）が発生したとＵＥが判断するときまで、ＰＲＡＣＨのビームを使用してＰＵＣＣＨの送信を実行するステップとを含む。
【００５１】
図４は、本文献に係るＰＵＣＣＨ空間関係を決定する別の実施形態の図である。ＵＥは、ＰＲＡＣＨによってトリガされたリンク回復要求を送信して、Ｃ−ＲＮＴＩでスクランブルされたＰＤＣＣＨを受信した後、リンク回復要求が承認されたと考える。第１の通信ノード（たとえば、ＵＥ）は、ＰＵＣＣＨリソースがＰＲＡＣＨと同一の空間フィルタを使用することになると想定して、ＰＵＣＣＨリソースのために以前に構成または起動された空間関係情報は、無視または解放される。しかし、想定された終了時刻は、ＰＵＣＣＨの空間関係が再構成または再起動される時刻であり、その後、ＰＵＣＣＨは、再構成または再起動された空間関係情報を使用することになる。
【００５２】
図５は、本文献に係るＰＵＳＣＨ送信モードを決定する実施形態の図である。ＵＥは、ＰＲＡＣＨによってトリガされたリンク回復要求を送信して、Ｃ−ＲＮＴＩでスクランブルされたＰＤＣＣＨを受信した後、リンク回復要求が承認されたと考える。第１の通信ノードは、ＰＵＣＣＨの空間関係が再構成または再起動されるまでＰＵＳＣＨがＰＲＡＣＨまたはＰＵＣＣＨと同一の空間フィルタを使用すると想定する。ＰＵＣＣＨの空間関係が再起動または再構成されると、ＰＵＳＣＨは、コードブックまたは非コードブックオプションのＰＵＳＣＨ送信構成に従ってその送信モードを決定する。
【００５３】
上りリンクビーム（たとえば、上りリンク空間関係または上りリンク空間フィルタ）は変化するので、上りリンクパラメータを保証して干渉を回避するために、上りリンクチャネルの電力制御パラメータもそれに従って調整されてもよい。
【００５４】
さらに、上りリンクチャネルの電力制御パラメータは、以下のこと、すなわち、
♯１  上りリンクチャネルの経路損失基準ＲＳセット構成がデフォルトと見なされるか、または未構成であるか、またはデフォルトで解放されること、
♯２  ＰＵＣＣＨ目標電力セットの構成がデフォルトと見なされるか、または未構成であるか、またはデフォルトで解放されること、
♯３  ＰＵＳＣＨの目標電力の構成および重み係数αのセットがデフォルトと見なされるか、または未構成であるか、またはデフォルトで解放されること、のうちの少なくとも１つによって実行されてもよい。
【００５５】
さらに、上りリンクチャネルに関連付けられた経路損失推定の基準信号は、以下のこと、すなわち、
♯１  ＰＲＡＣＨに関連付けられた下りリンク基準信号、
♯２  上層が、インデックスｑ＿ｎｅｗに関連付けられた下りリンク基準信号を提供すること、
♯３  基準信号のチャネル測定メトリックが第１のタイプの閾値よりも大きいという結果、
♯４  上りリンクチャネルの経路損失が、ＲＳセットにおける特定のインデックスによって示される下りリンク基準信号を意味すること、のうちの少なくとも１つであってもよい。
【００５６】
チャネル測定メトリックは、以下のもの、すなわち、ＢＬＥＲ、ＲＳＲＰ、ＲＳＲＱ、ＣＱＩ、チャネル容量、信号対雑音比および信号対雑音比、のうちの少なくとも１つを含む。
【００５７】
さらに、上りリンクチャネルに関連付けられた目標電力は、以下のもの、すなわち、
♯１  目標電力セットにおける特定のインデックスを有する１つの目標電力、
♯２  １つのプリアンブル受信目標電力、または、１つのプリアンブル受信目標電力とＤＣＩにおける送信電力コマンド（ＴＰＣ）によって示される値との組み合わせ、
♯３  上りリンクチャネルに関連付けられた目標電力が未構成またはデフォルト値であること、のうちの少なくとも１つであり、
目標電力は、ＵＥに特有の目標電力であり、
デフォルト値はゼロである。
【００５８】
さらに、上りリンクチャネルの閉ループ電力制御は、
♯１  特定のインデックスを有している、または
♯２  ランダムアクセスプリアンブルに関連付けられた増大値、もしくは、ランダムアクセスプリアンブルに関連付けられた増大値と下りリンク制御情報における送信電力コマンド（ＴＰＣ）によって示される値との組み合わせである、または
♯３  リセットされる。
【００５９】
さらに、特定のインデックスは、以下のこと、すなわち、インデックスがゼロであること、最低のインデックスであること、および最高のインデックスであること、のうちの少なくとも１つである。
【００６０】
さらに、空間関係情報に加えて、第１の通信ノードに関連付けられた専用のパラメータは、デフォルトまたは未提供であると想定され、専用のパラメータは、以下のもの、すなわち、下りリンク基準信号、上りリンク基準信号、ＰＵＣＣＨ、ＰＵＳＣＨ、電力制御パラメータ、のうちの少なくとも１つを含む。
【００６１】
さらに、周期的もしくは半永続的な上りリンク基準信号もしくは上りリンクチャネルは、第１の通信ノードによって送信されず、または、第１の通信ノードは、周期的もしくは半連続的な下りリンク基準信号もしくは下りリンクチャネルを受信しない。
【００６２】
いくつかの実施形態では、基準信号は、コードブックのためのＳＲＳまたは非コードブックのためのＳＲＳであってもよい。いくつかの実施形態では、基準信号は、非コードブックのためのＣＳＩ−ＲＳであってもよい。
【００６３】
図６は、本文献に係る上りリンク基準信号送信の概略図である。ＵＥがｇＮＢリンク回復の承認情報を受信した後、コードブック送信に使用されるＳＲＳは、ＰＲＡＣＨ／ＰＵＣＣＨと同一の空間フィルタを使用し、これにより、元のＳＲＳに対応する送信チェーンを考慮に入れて、上りリンク送信品質の保証が容易になる。もはや効果的に通信できない可能性が非常に高い。ＰＵＣＣＨの空間関係が再構成または再起動されると、上層の空間関係情報に基づいてＳＲＳの空間フィルタが決定される。
【００６４】
図７は、ワイヤレス通信方法の一例７００のためのフローチャートである。方法７００は、第１の通信ノードが、第１のタイプのランダムアクセスプリアンブルを送信するステップ（７０２）と、第１の通信ノードが、リンク回復確認情報を監視するステップ（７０４）と、第１の通信ノードが、第１のタイプの条件を満たした後に動作を実行するステップ（７０６）とを含み、第１のタイプの条件は、リンク回復確認情報を検出することを含み、上記動作は、第１のタイプのランダムアクセスプリアンブルによって決定された空間フィルタを使用して、アウトバウンドチャネルに沿った第２の通信ノードへの送信を実行するステップ（７０８）を含む。
【００６５】
図８は、ワイヤレス通信方法の一例８００のためのフローチャートである。方法８００は、第１の通信ノードが、第１のタイプのランダムアクセスプリアンブルを送信するステップ（８０２）と、リンク回復確認情報を監視するステップ（８０４）と、第１のタイプの条件を満たした後に動作を実行するステップ（８０６）とを含み、第１のタイプの条件は、リンク回復確認情報を検出することを含み、上記動作は、アウトバウンドチャネルに沿った第２の通信ノードへの送信を実行するステップ（８０８）を含み、アウトバウンドチャネルに沿った送信のための構成情報は、未提供である。
【００６６】
いくつかの実施形態では、第１の通信ノードによって実行されるワイヤレス通信方法は、第１のタイプのランダムアクセスプリアンブルを送信するステップと、リンク回復確認情報を監視するステップと、第１のタイプの条件を満たした後に動作を実行するステップとを含み、第１のタイプの条件は、リンク回復確認情報を検出することを含み、上記動作は、アウトバウンドチャネルに沿って送信される第２のタイプの信号によって決定された空間フィルタを使用して、アウトバウンドチャネルに沿った第２の通信ノードへの送信を実行するステップを含む。
【００６７】
図９は、ワイヤレス通信方法の一例９００のフローチャートである。方法９００は、ワイヤレスネットワーク内の基地局などのネットワークノードによって実行されてもよい。方法９００は、端末がリンク回復を試みているとの表示を受信するステップと、上記表示に応答して、リンク回復を容易にするためのメッセージを端末に送信するステップとを含む。本文献に開示されているように、メッセージは、暗号化されたＤＣＩの形式であってもよく、時間窓内で送信されてもよい。
【００６８】
いくつかの実施形態では、送信されるメッセージは、本特許文献全体を通して説明されているリンク回復のさまざまな局面を容易にし得る。これらは、たとえば、端末によるリンク回復の試みを承認するために、ＲＮＴＩを使用して巡回冗長検査を提供すること、構成された窓内で信号を提供することなどを含む。他の例としては、システム情報ブロックにおける情報の送信が挙げられる。本文献にさらに開示されているように、ネットワークノードは、一次セル内にあって、一次キャリア上で受信を行ってもよい。端末（たとえば、ユーザデバイスまたは第１の通信ノード）は、ランダムアクセスチャネルに沿ったネットワークノードへの送信を行ってもよい。
【００６９】
７００、８００および９００を含む上記の方法に関して、以下の特徴はさまざまな実施形態において実現され得る。
【００７０】
いくつかの実施形態では、アウトバウンドチャネルの空間関係の構成情報は、デフォルトまたは未提供である。
【００７１】
いくつかの実施形態では、上りリンクチャネルの構成情報は、デフォルトまたは未提供である。
【００７２】
いくつかの実施形態では、リンク回復確認情報は、第１のタイプのＲＮＴＩによってスクランブルされたＣＲＣを有するＤＣＩを含む。
【００７３】
いくつかの実施形態では、リンク回復情報の監視は、リンク回復プロセスが開始したことを第２の通信デバイスが認識したことを示す第２の通信デバイスから第１の通信デバイスへのインバウンド送信を監視することによって実行されてもよい。いくつかの実施形態では、第２のタイプの信号は、Ｍｓｇ３信号を含んでもよい。いくつかの実施形態では、第２のタイプの信号は、ＰＵＳＣＨであってもよい。いくつかの実施形態では、第２のタイプの信号は、リンク回復確認情報に応答してＰＵＳＣＨであってもよい。いくつかの実施形態では、第２のタイプの信号は、リンク回復確認情報に応答してＰＵＣＣＨであってもよい。
【００７４】
いくつかの実施形態では、アウトバウンドチャネルは、物理上りリンク制御チャネルを含む。いくつかの実施形態では、アウトバウンドチャネルは、物理上りリンク共有チャネルを含む。いくつかの実施形態では、送信は、一次セルの物理ランダムアクセスチャネルに沿って実行される。たとえば、第１の通信ノードは、一次セルと二次セルとを有するセルラーネットワーク内で動作していてもよい。このような構成の一例は、３ＧＰＰのＲｅｌｅａｓｅ１５に記載されている。
【００７５】
いくつかの実施形態では、送信は、一次キャリアに対応する物理ランダムアクセスチャネルに沿って実行される。いくつかの実施形態では、送信は、マスタセルグループに対応する物理ランダムアクセスチャネルに沿って実行される。
【００７６】
いくつかの実施形態では、アウトバウンドチャネルは一次セル内にあり、またはアウトバウンドチャネルのキャリアは一次キャリアであり、またはアウトバウンドチャネルはマスタセルグループに関連付けられる。いくつかの実施形態では、アウトバウンドチャネルは、第１のタイプの条件を満たすと専用の送信リソースを有する専用の物理上りリンク制御チャネルである。
【００７７】
いくつかの実施形態では、アウトバウンドチャネルは、物理上りリンク制御チャネルのための専用のリソースが未構成または未提供である場合には、デフォルト物理上りリンク制御チャネルである。いくつかの実施形態では、アウトバウンドチャネルは、コモン物理上りリンク制御チャネルリソースである。
【００７８】
いくつかの実施形態では、コモン物理上りリンク制御チャネルリソースは、システムブロードキャストメッセージにおけるコモン物理上りリンク制御チャネルリソースフィールドによって提供される。
【００７９】
いくつかの実施形態では、第１のタイプの条件は、送信のキャリアが、リンク回復条件が満たされるキャリアと同一であること、または、送信のキャリアが、リンク回復条件が満たされるキャリアグループ内にあることを含む。
【００８０】
いくつかの実施形態では、第１のタイプの条件は、送信のセルが、リンク回復条件が満たされるセルと同一であること、または、送信のセルが、リンク回復条件が満たされるセルグループ内にあることを含む。
【００８１】
いくつかの実施形態では、第１のタイプの条件は、送信のキャリアがアウトバウンドチャネルのキャリアと同一であること、または、送信のキャリアがアウトバウンドチャネルとしてのキャリアグループ内にあることを含む。
【００８２】
いくつかの実施形態では、リンク回復条件は、ビーム障害インスタンス表示の数が第１の閾値以上であるというものであってもよい。いくつかの実施形態では、リンク回復条件は、第２のプールからの第２のタイプの基準信号のチャネル品質が第２の閾値以上であるというものであってもよい。いくつかの実施形態では、リンク回復条件は、第３のプールからの第３のタイプの基準信号のチャネル品質が第２の閾値未満であるというものであってもよい。これらのさまざまな閾値は、第１および第２の通信ノードが動作するワイヤレスネットワークの動作のために予め規定されていてもよく、または第２の通信ノードによって指定されてもよい。
【００８３】
いくつかの実施形態では、第１のタイプの条件は、送信のセルがアウトバウンドチャネルのセルと同一であること、または、送信のキャリアがアウトバウンドチャネルのセルグループ内にあることを含む。
【００８４】
いくつかの実施形態では、上記方法はさらに、第１のタイプの事象の発生まで実行される。
【００８５】
いくつかの実施形態では、第１のタイプの事象は、送信構成インジケータ（ＴＣＩ）の再構成もしくは起動、または、アウトバウンドチャネルに関連付けられた空間関係の再構成もしくは起動である。
【００８６】
いくつかの実施形態では、アウトバウンドチャネルの経路損失基準信号セット構成は、デフォルトと見なされるか、または未提供であるか、またはデフォルトで解放される。
【００８７】
いくつかの実施形態では、アウトバウンドチャネルの目標電力セットの構成は、デフォルトと見なされるか、または未提供であるか、またはデフォルトで解放される。
【００８８】
いくつかの実施形態では、アウトバウンドチャネルの共有制御チャネルの目標電力の構成および重み係数αのセットは、デフォルトと見なされるか、または未提供であるか、またはデフォルトで解放される。
【００８９】
いくつかの実施形態では、アウトバウンドチャネルに関連付けられた経路損失推定の基準信号は、第１のタイプのランダムアクセスプリアンブルに関連付けられた下りリンク基準信号である。
【００９０】
いくつかの実施形態では、アウトバウンドチャネルに関連付けられた経路損失推定の基準信号は、下りリンク基準信号インデックスｑ＿ｎｅｗの情報を含む上位層メッセージによって提供される。
【００９１】
いくつかの実施形態では、アウトバウンドチャネルに関連付けられた経路損失推定の基準信号は、基準信号のチャネル測定メトリックが第１のタイプの閾値以上であるという結果である。
【００９２】
いくつかの実施形態では、アウトバウンドチャネルに関連付けられた経路損失推定の基準信号は、基準信号セットにおける特定のインデックスによって示される下りリンク基準信号を意味する。
【００９３】
いくつかの実施形態では、チャネル測定メトリックは、以下のもの、すなわち、ＢＬＥＲ（ブロック誤り率）、ＲＳＲＰ（基準信号受信電力）、ＲＳＲＱ（基準信号受信品質）、ＣＱＩ（チャネル品質インジケータ）、チャネル容量、受信端における信号対雑音比、および信号対雑音比、のうちの少なくとも１つを含む。
【００９４】
いくつかの実施形態では、アウトバウンドチャネルに関連付けられた目標電力は、目標電力セットにおける特定のインデックスによって示される目標電力である。目標電力セットは、ネットワークから第１の通信ノードに通信されてもよい。
【００９５】
いくつかの実施形態では、アウトバウンドチャネルに関連付けられた目標電力は、１つのプリアンブル受信目標電力、または、１つのプリアンブル受信目標電力と下りリンク制御情報における送信電力コマンド（ＴＰＣ）によって示される値との組み合わせである。
【００９６】
いくつかの実施形態では、アウトバウンドチャネルに関連付けられた目標電力は、未提供であるか、またはデフォルト値を有する。いくつかの実施形態では、目標電力は、第１の通信ノード専用である。いくつかの実施形態では、（目標電力の）デフォルト値はゼロである。
【００９７】
いくつかの実施形態では、アウトバウンドチャネルの閉ループ電力制御は、特定のインデックスを有する。いくつかの実施形態では、アウトバウンドチャネルの閉ループ電力制御は、ランダムアクセスプリアンブルに関連付けられた増大値、または、ランダムアクセスプリアンブルに関連付けられた増大値と下りリンク制御情報における送信電力コマンド（ＴＰＣ）によって示される値との組み合わせである。いくつかの実施形態では、アウトバウンドチャネルの閉ループ電力制御は、リセットされる。いくつかの実施形態では、特定のインデックスは、ゼロ、または最低のインデックス、または最高のインデックスである。
【００９８】
いくつかの実施形態では、以下の信号、すなわち、ＤＬ基準信号、ＵＬ基準信号、物理上りリンク制御チャネル、物理上りリンク共有チャネル、または電力制御パラメータ、のうちの少なくとも１つに関連付けられた専用のパラメータは、未提供であるか、またはデフォルトである。
【００９９】
いくつかの実施形態では、周期的もしくは半連続的なアウトバウンド基準信号は未送信であり、または、周期的もしくは半連続的なインバウンド基準信号もしくはインバウンドチャネルは未監視もしくは未受信である。
【０１００】
いくつかの実施形態では、基準信号の空間関係は、ランダムアクセスプリアンブルに従って決定される。いくつかの実施形態では、基準信号は、コードブックのためのサウンディング基準信号または非コードブックのためのサウンディング基準信号である。
【０１０１】
いくつかの実施形態では、基準信号の擬似コロケーションは、ランダムアクセスプリアンブルに関連付けられた１つの下りリンク基準信号に従って決定され、基準信号は、非コードブックのためのチャネル状態情報基準信号である。
【０１０２】
いくつかの実施形態では、第１のタイプの無線ネットワーク仮識別子（ＲＮＴＩ）は、Ｃ−ＲＮＴＩまたはＴＣ−ＲＮＴＩまたはＲＡ−ＲＮＴＩである。
【０１０３】
いくつかの実施形態では、「未提供」または「未構成」についての記載は、対応するパラメータがネットワークから受信されていないことを意味し得る。このようなパラメータは、基地局などのネットワークノードによって、ブロードキャストメッセージまたは端末に特有のメッセージの状態で、第１の通信ノードに送信されてもよい。
【０１０４】
図１０は、ワイヤレス通信装置１０００の一例のブロック図である。装置１０００は、本明細書に記載されている技術のうちの１つを実現するように構成され得るプロセッサ１０１０と、アンテナ１０２０を使用して信号を送受信することができるトランシーバ電子機器１０１５と、プロセッサ１０１０によって実行可能な命令の格納および／またはデータの格納に使用され得る１つまたは複数のメモリ１００５とを含む。装置１０００は、本明細書に記載されているように、ネットワークノードまたは通信デバイスもしくは端末のさまざまな機能を実現し得る。たとえば、この装置は、スマートフォン、携帯型通信デバイス、コンピュータ、モノのインターネット（ＩｏＴ）デバイス、または別のワイヤレス通信デバイスとして具体化されてもよい。代替的に、この装置は、複数のユーザデバイスへのワイヤレス接続を提供する基地局などのネットワークノードとして具体化されてもよい。
【０１０５】
図１１は、ワイヤレス通信ネットワークの一例１１００を示す図である。ネットワーク１１００は、送信媒体１１０４を介して互いに通信することができる基地局ＢＳ１１０２および複数のユーザデバイス１１０６を含む。ＢＳ１１０２からデバイス１１０６への送信は、一般に下りリンク送信または下り送信と呼ばれる。デバイス１１０６からＢＳ１１０２への送信は、一般に上りリンク送信または上り送信と呼ばれる。伝送媒体１１０４は、一般にワイヤレス（無線）媒体である。また、ＢＳ１１０２は、バックホールまたはアクセスネットワーク接続１１１２を介してネットワーク内の他の基地局または他の機器に通信可能に結合されてもよい。
【０１０６】
要約すると、開示されている実施形態のうちのいくつかによって提供される技術的解決策に基づいて、ＰＵＣＣＨおよび他の上りリンクチャネルの空間関係またはビーム情報は、ＵＥ側のリンク回復ＰＲＡＣＨに従って決定され、ＰＵＣＣＨおよび他の上りリンクチャネルの上りリンク電力制御パラメータが決定される。このプロセスは、リンク回復プロセスが開始された後に基地局が上りリンクチャネルを効果的に受信できることを保証し、それによって、リンク回復プロセス全体の効果を保証して、システムの魅力を大幅に向上させている。
【０１０７】
上記のステップの全てまたは一部が、リードオンリメモリ、磁気ディスクまたは光ディスクなどの関連付けられたハードウェアに指示するプログラムによって実現されてもよいということを当業者は理解するであろう。任意に、上記の実施形態のステップの全てまたは一部は、１つまたは複数の集積回路を使用して実現されてもよい。したがって、上記の実施形態における各モジュール／ユニットは、ハードウェアの形式で実現されてもよく、またはソフトウェア機能モジュールを使用して実現されてもよい。正式な実現。本発明は、ハードウェアとソフトウェアとの組み合わせの具体的形態に限定されるものではない。
【０１０８】
本発明は、本発明の精神および範囲から逸脱することなく本発明の実施形態に対してさまざまな他の変形および変更を行ってもよい、ということを理解すべきである。対応する変更および変形は、添付の特許請求の範囲の範囲内に含まれるよう意図されている。
【図１】
2021533662.tif 000003
【図２】
2021533662.tif 000004
【図３】
2021533662.tif 000005
【図４】
2021533662.tif 000006
【図５】
2021533662.tif 000007
【図６】
2021533662.tif 000008
【図７】
2021533662.tif 000009
【図８】
2021533662.tif 000010
【図９】
2021533662.tif 000011
【図１０】
2021533662.tif 000012
【図１１】
2021533662.tif 000013
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
ワイヤレス通信方法であって、
ユーザデバイスが、ネットワークノードへのランダムアクセスプリアンブル送信を実行するステップと、
前記ユーザデバイスが、第１のタイプの無線ネットワーク仮識別子によってスクランブルされた巡回冗長検査（ＣＲＣ）を有する下りリンク制御情報を監視するステップと、
前記ユーザデバイスが、前記第１のタイプの無線ネットワーク仮識別子によってスクランブルされた前記ＣＲＣを有する前記下りリンク制御情報を検出した後に、前記ランダムアクセスプリアンブル送信のための空間フィルタと同一の空間フィルタを使用して、チャネルに沿った送信を実行するステップとを備える、方法。
【請求項２】
ワイヤレス通信方法であって、
ネットワークノードが、ユーザデバイスからランダムアクセスプリアンブル送信を受信するステップと、
第１のタイプの無線ネットワーク仮識別子によってスクランブルされた巡回冗長検査（ＣＲＣ）を有する下りリンク制御情報を前記ユーザデバイスに送信するステップと、
前記ネットワークノードが、前記第１のタイプの無線ネットワーク仮識別子によってスクランブルされた前記ＣＲＣを有する前記下りリンク制御情報に応答して、前記ランダムアクセスプリアンブル送信のための空間フィルタと同一の空間フィルタを使用して、チャネルに沿った送信を受信するステップとを備える、方法。
【請求項３】
前記ランダムアクセスプリアンブル送信のセルは、前記チャネルのセルと同一である、請求項１または請求項２に記載の方法。
【請求項４】
前記チャネルに沿った前記送信は、前記チャネルに関連付けられた空間関係の再構成または起動まで実行される、請求項１に記載の方法。
【請求項５】
前記チャネルに関連付けられた経路損失推定の基準信号は、上位層によって提供されるインデックスｑｎｅｗを有する下りリンク基準信号に基づく、請求項１または請求項２に記載の方法。
【請求項６】
前記チャネルに関連付けられた目標電力は、目標電力セットにおける目標電力を示す特定のインデックスに基づく、請求項１または請求項２に記載の方法。
【請求項７】
前記チャネルの閉ループ電力制御は、特定のインデックスを有し、前記ランダムアクセスプリアンブル送信に関連付けられた増大値と１つの下りリンク制御情報における送信電力コマンド（ＴＰＣ）によって示される値との組み合わせに等しく、前記特定のインデックスは、ゼロである、請求項１または請求項２に記載の方法。
【請求項８】
プロセッサを備える装置であって、前記プロセッサは、
ネットワークノードへのランダムアクセスプリアンブル送信を実行するように構成され、
第１のタイプの無線ネットワーク仮識別子によってスクランブルされた巡回冗長検査（ＣＲＣ）を有する下りリンク制御情報を監視するように構成され、
前記第１のタイプの無線ネットワーク仮識別子によってスクランブルされた前記巡回冗長検査（ＣＲＣ）を有する前記下りリンク制御情報を検出した後に、前記ランダムアクセスプリアンブル送信のための空間フィルタと同一の空間フィルタを使用して、チャネルに沿った送信を実行するように構成される、装置。
【請求項９】
プロセッサを備える装置であって、前記プロセッサは、
ユーザデバイスからランダムアクセスプリアンブル送信を受信するように構成され、
第１のタイプの無線ネットワーク仮識別子によってスクランブルされた巡回冗長検査（ＣＲＣ）を有する下りリンク制御情報を前記ユーザデバイスに送信するように構成され、
前記第１のタイプの無線ネットワーク仮識別子によってスクランブルされた前記ＣＲＣを有する前記下りリンク制御情報に応答して、前記ランダムアクセスプリアンブル送信のための空間フィルタと同一の空間フィルタを使用して、チャネルに沿った送信を受信するように構成される、装置。
【請求項１０】
前記ランダムアクセスプリアンブル送信のセルは、前記チャネルのセルと同一である、請求項９または請求項１０に記載の装置。
【請求項１１】
前記プロセッサは、前記チャネルに関連付けられた空間関係の再構成または起動まで前記チャネルに沿った前記送信を実行するように構成される、請求項９に記載の装置。
【請求項１２】
前記チャネルに関連付けられた経路損失推定の基準信号は、上位層によって提供されるインデックスｑｎｅｗを有する下りリンク基準信号に基づく、請求項９または請求項１０に記載の装置。
【請求項１３】
前記チャネルに関連付けられた目標電力は、目標電力セットにおける目標電力を示す特定のインデックスに基づく、請求項９または請求項１０に記載の装置。
【請求項１４】
前記チャネルの閉ループ電力制御は、特定のインデックスを有し、前記ランダムアクセスプリアンブル送信に関連付けられた増大値と１つの下りリンク制御情報における送信電力コマンド（ＴＰＣ）によって示される値との組み合わせに等しく、前記特定のインデックスは、ゼロである、請求項９または請求項１０に記載の装置。
【請求項１５】
コードが格納されたコンピュータプログラム製品であって、前記コードは、プロセッサによって実行されると、前記プロセッサに請求項１から請求項７のうちの１つまたは複数の請求項に記載の方法を実行させる、コンピュータプログラム製品。
【国際調査報告】
2021533662.tif 000014
2021533662.tif 000015